(57)【特許請求の範囲】
【請求項１】
上ケースと下ケースがヒンジで回動可能に連結した電子機器において、
前記上ケースは、前記下ケースに前記ヒンジで連結される外ケースと、前記外ケースに対しスライド可能な内ケースとからなり、
前記ヒンジを中心に前記下ケースと前記上ケースを回動させて開いた状態で、前記内ケースの前記外ケース上でのスライド動作により前記外ケース上に前記下ケースとの間で空間を生じるように前記内ケースを前記下ケースに連結する連結部材を設け、
前記外ケースには、スピーカを有し、前記下ケースと前記上ケースとを閉じた状態で前記外ケース内に収納され、前記下ケースと前記上ケースとを開いた状態で前記外ケース上の前記下ケースとの間で生じる前記空間部分に前記外ケース内から突出して前記内ケースと略同一面となるスピーカケースが組み込まれ、
前記スピーカケースには、当該スピーカケースを前記外ケース内から突出する方向に付勢するための付勢手段を設けたことを特徴とする電子機器。
【請求項２】
前記下ケースと前記上ケースとを開いた状態で前記内ケースと略同一面となるスピーカケースの背後には、当該スピーカケースが突出して前記外ケース内に生じる空間による音拡張空間が形成されることを特徴とする請求項１記載の電子機器。
【請求項３】
前記スピーカケースは、前記内ケースの延長上で前記ヒンジの回動中心の近傍の点において、左右両側で外ケースに対し回動自在に支持されることを特徴とする請求項１または２記載の電子機器。
【請求項４】
前記スピーカケースは、外ケースに対し内ケース側の支点で回動自在に支持されることを特徴とする請求項１または２記載の電子機器。
【発明の詳細な説明】
【０００１】
【発明の属する技術分野】
本発明は、ノート型情報端末機などの電子機器に関する。
【０００２】
【従来の技術】
ＰＤＡ（Personal Digital Assistant）などの情報端末機において、スピーカを備えたものがある。そして、ノート型情報端末機において、スピーカは表示部側あるいはキーボード側に配置されていた。
【０００３】
【発明が解決しようとする課題】
しかし、スピーカを備えるにはその実装スペースが必要となるため、表示部やキーボード部との実装関係に制約があり、機器のコンパクト化を図る上ではレイアウトが問題となっていた。
【０００４】
本発明の課題は、ノート型の電子機器において、レイアウト上有利にスピーカ等を具備できて、コンパクト化に寄与することである。
【０００５】
【課題を解決するための手段】
以上の課題を解決するため、請求項１記載の発明は、例えば、図５から図１０に示すように、上ケース３と下ケース１がヒンジ５で回動可能に連結した電子機器において、前記上ケース３は、前記下ケース１に前記ヒンジ５で連結される外ケース３１と、前記外ケース３１に対しスライド可能な内ケース３２とからなり、前記ヒンジ５を中心に前記下ケース１と前記上ケース３を回動させて開いた状態で、前記内ケース３２の前記外ケース３１上でのスライド動作により前記外ケース３１上に前記下ケース１との間で空間を生じるように前記内ケース３２を前記下ケース１に連結する連結部材６を設け、前記外ケース３１には、スピーカ７を有し、前記下ケース１と前記上ケース３とを閉じた状態で前記外ケース３１内に収納され、前記下ケース１と前記上ケース３とを開いた状態で前記外ケース上の前記下ケースとの間で生じる前記空間部分に前記外ケース３１内から突出して前記内ケース３２と略同一面となるスピーカケース８が組み込まれ、前記スピーカケース８には、当該スピーカケース８を前記外ケース内から突出する方向に付勢するための付勢手段９を設けたことを特徴とする。
【０００６】
請求項１記載の発明によれば、下ケースと上ケースとを閉じた状態では、スピーカケースが外ケース内にコンパクトに収納され、ヒンジを中心に下ケースと上ケースを回動させて開くと、連結部材の連動により上ケースは内ケースが外ケース上でスライド動作して、外ケース上に下ケースとの間で空間が生じる。そしてスピーカケースが付勢手段により突出して外ケース上の前記下ケースとの間で生じる前記空間部分に適切に移動し、表示部を有する内ケースとスピーカケースがフラット状態となる。
【０００７】
請求項２記載の発明は、請求項１記載の電子機器であって、例えば、図９から図１１に示すように、前記下ケース１と前記上ケース３とを開いた状態で前記内ケース３２と略同一面となるスピーカケース８の背後には、当該スピーカケース８が突出して前記外ケース３１内に生じる空間による音拡張空間Ｓが形成されることを特徴とする。
【０００８】
請求項２記載の発明によれば、請求項１記載のスピーカケースの背後において、下ケースと上ケースとを開いて内ケースと略同一面となった状態で外ケース内に生じる空間での拡張機能によって、スピーカ音の音量・音質を良好なものにできる。
【０００９】
請求項３記載の発明は、請求項１または２記載の電子機器であって、例えば、図５から図7に示すように、前記スピーカケース８は、前記内ケース３２の延長上で前記ヒンジ５の回動中心Ａの近傍の点Ｄにおいて、左右両側で外ケース３１に対し回動自在に支持されることを特徴とする。
【００１０】
請求項３記載の発明によれば、下ケースと上ケースとを開閉する際に、スピーカケース８が、ヒンジ５の回動中心Ａの近傍の点Ｄで回動して適切に下ケースから突出し収納される。
【００１１】
請求項４記載の発明は、請求項１または２記載の電子機器であって、例えば、図１３から図１５に示すように、前記スピーカケース８は、外ケースに対し内ケース側の支点Ｅで回動自在に支持されることを特徴とする。
【００１２】
請求項４記載の発明によれば、下ケースと上ケースとを開閉する際に、スピーカケース８が、内ケース３２側の支点Ｅで適切に下ケースから突出し収納される。
【００１６】
【発明の実施の形態】
以下、図を参照して本発明の実施の形態を詳細に説明する。
【００１７】
〔第１の実施の形態〕
ノート型電子機器は、図１から図４に示すように、スピーカ付き情報端末機であり、下ケース１と上ケース３とをヒンジ部５で回動自在に連結したもので、下ケース１にキーボード２が備えられ、上ケース３に液晶表示パネル（表示部）４が備えられている。
上ケース３は、下ケース１にヒンジ部５で連結された外ケース３１と、外ケース３１に対しスライド動作自在に組み付けられた内ケース３２とから構成されている。内ケース４に液晶表示パネル４が組み込まれている。
そして、内ケース４は、一辺部において、下ケース１に対しアーム（連結部材）６を介して連結されている。
【００１８】
すなわち、下ケース１に上ケース３を重ねた折り畳み状態（ケース閉じ状態）において、図３に示すように、ヒンジ部５の回動中心Ａに対し折り畳み状態のケース合わせ面の延長上に離れた点Ｂで、アーム６の一端部が下ケース１に回動自在に連結されている。また、アーム６の他端部が点Ｃで内ケース３２の内側辺部に回動自在に連結されている。
以上において、下ケース１に上ケース３を重ねた折り畳み状態においては、図３に示したように、外ケース３１と内ケース３２の外側辺部が揃った状態になる。  なお、アーム６は、図１に示したように、左右一対のヒンジ部５の間において、左右一対設けられている。
【００１９】
以上の構成により、図２及び図３に示される折り畳み状態から下ケース１に対しヒンジ部５により回動（点Ａ参照）して上ケース３を開くと、アーム６が点Ｂで回動して起き上がり動作する。同時に、起き上がり動作するアーム６により点Ｃで押されて、内ケース３２が外ケース３１に対しスライドして外側に突出動作する。
従って、内ケース３２と下ケース１との間には、図１及び図４に示したように、外ケース３１の内側辺部に沿った一様な露出空間が現れる。
そして、この外ケース３１の内側辺部に沿った一様な露出空間の中央部には、図１に示したように、スピーカ７が設けられている。すなわち、スピーカ７は左右一対のアーム６の間に位置している。
従って、下ケース１に対し上ケース３を開くと、上ケース３の内ケース３２の外側へのスライド動作で外ケース３１のスピーカ７を露出できる。
【００２０】
以上の通り、上ケース３は液晶表示パネル４を有する内ケース３２とスピーカ７を有する外ケース３１からなる二分割スライド構造なので、従来に比べて実装設計に余裕が生じ、従来より大きいサイズのものを使用できる。つまり、従来単一の上ケース同一面に液晶表示パネル及びスピーカを設ける場合と比較し、サイズを大きくした液晶表示パネル４及びスピーカ７を使用できる。
また、下ケース１に上ケース３を折り畳むと、内ケース３２が外ケース３１の外形内に収納されたコンパクトな状態となって、携帯性が良好になる。
【００２１】
〔第２の実施の形態〕
この実施形態は、図５から図７に示すように、主にスピーカ７の構成が前述した第１の実施形態と異なるものである。
この実施形態では、スピーカ７を有するスピーカケース８を外ケース３１に飛び出し可能に組み込んでいる。
すなわち、スピーカケース８は、外ケース３１の内側辺部に沿って左右一対のアーム６の間に位置するもので、外ケース３１のスピーカケース収納凹部３３に傾斜状態で略半分が収納される。このスピーカケース８は、内ケース３２の延長上でヒンジ部５の回動中心Ａの近傍の点Ｄにおいて、左右両側で外ケース３１に対し回動自在に支持されている。
この回動支点Ｄによって、図６に示すように、下ケース１に上ケース３を重ねた折り畳み状態において、スピーカケース８が傾斜状態となってヒンジ部５と反対側の略半分がスピーカケース収納凹部３３に収納される。
そして、スピーカケース収納凹部３３には、スピーカケース９を飛び出し方向に付勢するためのばねや弾性体等による付勢手段９（図中では矢印で簡略表示）が配置されている。
【００２２】
以上において、スピーカケース８は、下ケース１に対し上ケース３を使用角度（図５及び図９参照）に開くまでは、図６から図８に示したように、内ケース３２により飛び出しを規制されている。
すなわち、図１０及び図１１にも示したように、内ケース３２の内側辺部に規制テーパ面３４が形成されており、外ケース３１には、内側辺部に沿った部分を除いてスピーカケース収納凹部３３の開口面に三方から突出するストッパ片３５が形成されている。
また、スピーカケース８には、図１２にも示したように、内ケース３２の規制テーパ面３４に対応する規制テーパ面８４が形成されるとともに、外ケース３１（スピーカケース収納凹部３３）のストッパ片３５に対応する三方のフランジ８５が形成されている。
【００２３】
以上の構成によれば、図６の折り畳み状態から下ケース１に対し上ケース３を開くと、付勢手段９の付勢によりスピーカケース８が外ケース３１に対し回動（点Ｄ参照）しながら、図７及び図８の過程を経て図９及び図１０に示したように、スピーカケース８は内ケース３２にフラットに並んだ飛び出し状態になる。
このように、内ケース３２の規制テーパ面３４により規制されながらスピーカケース８が外ケース３１から飛び出していき、使用角度になると、内ケース３２の規制テーパ面３４にスピーカケース８の規制テーパ面８４が重なり合うとともに、スピーカケース収納凹部３３のストッパ片３５にスピーカケース８のフランジ８５が重なり合う。
従って、スピーカケース８の背後には、スピーカケース収納凹部３３による音拡張空間（エンクロージャー）Ｓが確保されるので、スピーカ７から出力された音の音量・音質を良好にできる。
なお、飛び出し状態のスピーカケース８において、上ケース３（外ケース３１及び内ケース３２）との隙間部分をゴム材質等のシール構造により空気漏れを無くすことが音響上好ましい。
【００２４】
〔第３の実施の形態〕
この実施形態は、図１３から図１５に示すように、主にスピーカケース８の飛び出し姿勢が前述した第２の実施形態と異なるものである。
この実施形態では、スピーカケース８を外ケース３１に対し内ケース３２側の支点Ｅで回動自在に支持している。
この回動支点Ｅによって、図１３に示すように、下ケース１に上ケース３を重ねた折り畳み状態において、スピーカケース８が傾斜状態となってヒンジ部５側の略半分がスピーカケース収納凹部３３に収納される。
従って、図１３の折り畳み状態から下ケース１に対し上ケース３を開くと、付勢手段９の付勢によりスピーカケース８が外ケース３１に対し回動（点Ｅ参照）しながら、図１４の過程を経て図１５に示したように、スピーカケース８が内ケース３２にフラットに並んだ飛び出し状態になる。
【００２５】
〔第４の実施の形態〕
この実施形態は、図１７から図１９に示すように、主にスピーカケース８の飛び出し姿勢が前述した第２及び第３の実施形態と異なるものである。
この実施形態において、スピーカケース８は、スピーカケース収納凹部３３に全体が収納可能で、スピーカケース収納可能３３から全体が飛び出すようになっている。
すなわち、前述したような支点Ｄ、Ｅでの回動支持構造によらないで、スピーカケース８をスピーカケース収納凹部３３に対し出没自在としたものである。
具体的には、図２０に示したように、外ケース３１には、スピーカケース収納凹部３３の開口面に四方から突出するストッパ片３５が形成されている。
また、スピーカケース８には、図２１にも示したように、外ケース３１（スピーカケース収納凹部３３）のストッパ片３５に対応する四方のフランジ８５が形成されている。
【００２６】
従って、図１７に示したように、下ケース１に上ケース３を重ねた折り畳み状態において、スピーカケース８は内ケース３２の背面により押し込まれて外ケース３１（スピーカケース収納凹部３３）に完全な収納状態となる。
そして、以上の折り畳み状態から下ケース１に対し上ケース３を開くと、付勢手段９の付勢によりスピーカケース収納凹部３２からスピーカケース８が飛び出していき、図１９に示したように、スピーカケース８が内ケース３２にフラットに並んだ状態になる。
【００２７】
なお、以上の実施形態においては、スピーカ付き情報端末機としたが、本発明はこれに限定されるものではなく、電子手帳、ワープロ、パソコンなどであっても良い。また、スピーカは備えなくても良い。
更に、その他、具体的な細部構造等についても適宜に変更可能であることは勿論である。
【００２８】
【発明の効果】
請求項１記載の発明によれば、下ケースと上ケースとを閉じた状態では、スピーカケースが外ケース内にコンパクトに収納され、ヒンジを中心に下ケースと上ケースを回動させて開くと、連結部材の連動により上ケースは内ケースが外ケース上でスライド動作して、外ケース上に下ケースとの間で空間が生じる。そしてスピーカケースが付勢手段により突出して外ケース上の前記下ケースとの間で生じる前記空間部分に適切に移動し、表示部を有する内ケースとスピーカケースがフラット状態となる。
【００２９】
請求項２記載の発明によれば、請求項１記載のスピーカケースの背後において、下ケースと上ケースとを開いて内ケースと略同一面となった状態で外ケース内に生じる空間での拡張機能によって、スピーカ音の音量・音質を良好なものにできる。
【００３０】
請求項３記載の発明によれば、下ケースと上ケースとを開閉する際に、スピーカケース８が、ヒンジ５の回動中心Ａの近傍の点Ｄで回動して適切に下ケースから突出し収納される。
【００３１】
請求項４記載の発明によれば、下ケースと上ケースとを開閉する際に、スピーカケース８が、内ケース３２側の支点Ｅで適切に下ケースから突出し収納される。
【図面の簡単な説明】
【図１】本発明を適用した電子機器の第１の実施形態の構成を示す使用状態の概略斜視図である。
【図２】図１の電子機器の折り畳み状態を示した概略斜視図である。
【図３】図２の折り畳み状態の概略側面図である。
【図４】図３の折り畳み状態から開いた状態を示した図である。
【図５】本発明を適用した電子機器の第２の実施形態の構成を示す使用状態の概略斜視図である。
【図６】図５の電子機器の折り畳み状態を示した要部破断の側面図である。
【図７】図６の折り畳み状態から開く過程を示した図である。
【図８】図７の要部拡大図である。
【図９】図７の状態から更に開いた状態を示した図である。
【図１０】図９の要部拡大図である。
【図１１】図１０の外ケースとスピーカケースとの詳細構造を示した拡大断面図である。
【図１２】図１１のスピーカケースの平面図（ａ）、正面図（ｂ）及び側面図（ｂ）である。
【図１３】本発明を適用した電子機器の第３の実施形態の構成を示すもので、折り畳み状態を示した要部破断の側面図である。
【図１４】図１３の折り畳み状態から開く過程を示した図である。
【図１５】図１４の状態から更に開いた状態を示した図である。
【図１６】図１５の状態での連結部材を示した図である。
【図１７】本発明を適用した電子機器の第４の実施形態の構成を示すもので、折り畳み状態を示した要部破断の側面図である。
【図１８】図１７の折り畳み状態から開く過程を示した図である。
【図１９】図１８の状態から更に開いた状態を示した図である。
【図２０】図１９の外ケースとスピーカケースとの詳細構造を示した拡大断面図である。
【図２１】図２０のスピーカケースの平面図（ａ）、正面図（ｂ）及び側面図（ｂ）である。
【符号の説明】
１  下ケース
２  キーボード
３  上ケース
３１  外ケース
３２  内ケース
３３  スピーカケース収納凹部
３４  規制テーパ面
３５  ストッパ片
４  表示部
５  ヒンジ部
６  アーム（連結部材）
７  スピーカ
８  スピーカケース
８４  規制テーパ面
８５  フランジ
９  付勢手段
Ｓ  音拡張空間
【図１】
0004396043.tif 000002
【図２】
0004396043.tif 000003
【図３】
0004396043.tif 000004
【図４】
0004396043.tif 000005
【図５】
0004396043.tif 000006
【図６】
0004396043.tif 000007
【図７】
0004396043.tif 000008
【図８】
0004396043.tif 000009
【図９】
0004396043.tif 000010
【図１０】
0004396043.tif 000011
【図１１】
0004396043.tif 000012
【図１２】
0004396043.tif 000013
【図１３】
0004396043.tif 000014
【図１４】
0004396043.tif 000015
【図１５】
0004396043.tif 000016
【図１６】
0004396043.tif 000017
【図１７】
0004396043.tif 000018
【図１８】
0004396043.tif 000019
【図１９】
0004396043.tif 000020
【図２０】
0004396043.tif 000021
【図２１】
0004396043.tif 000022